【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
次式（Ｉ）に表される各反復単位を含んでなる共重合体：
【化１】
2019123773.tif 000001
式中、
ｘ＋ｙは５〜１４００の整数であり、ｎは５〜１４００の整数であり、ｘ＋ｙ：ｎは１：１〜５の比率にあり、ｘ：ｙは１〜６０：１の比率にある。
（１）下付き記号ｙの付された反復単位において、Ｌ−ＰＥＧ−Ａ中、
Ｌは、Ｏ又はＮＨであり、ＰＥＧは次式で表され、
【化２】
2019123773.tif 000002
ここで、ｐは１〜６の整数であり、ｑは５〜５００の整数であり、
Ａは、  Ａ１：非置換若しくは置換Ｃ1−Ｃ12アルコキシ基を表し、置換されている場合の置換基は、ホルミル基、式ＲaＲbＣＨ−（ここで、Ｒa及びＲbは独立して、Ｃ1−Ｃ4アルコキシまたはＲ1とＲ2は一緒になって−ＯＣＨ2ＣＨ2Ｏ−、−Ｏ（ＣＨ2）3Ｏ−もしくは−Ｏ（ＣＨ2）4Ｏ−を表す。）の基、又は
Ａ２：次式
【化３】
2019123773.tif 000003
で表される基を表し、当該反復単位は式（Ｉ）で表される共重合体の総単位の２％〜１５％を占める。
（２）下付き記号ｘの付された反復単位において、
（ａ）Ｒ1又はＲ2のいずれか一方は、
ａ１  ：次式
【化４】
2019123773.tif 000004
で表され、ここで、
ＴＥＭＰＯは、２，２，６，６−テトラメチルピペリジン−１−オキシル−４−イル、２，２，５，５−テトラメチルピロリジン−１−オキシル−３−イル、２，２，５，５−テトラメチルピロリン−１−オキシル−３−イル、２，４，４−トリメチル−１，３−オキサゾリジン−３−オキシル−２−イル、２，４，４−トリメチル−１，３−チアゾリジン−３−オキシル−２−イル及び２，４，４−トリメチル−イミダゾリンジン−３−オキシル−２−イルからなる群より選ばれる環状ニトロキシドラジカル化合物の残基；
ａ２：次式
【化５】
2019123773.tif 000005
のいずれかで表される残基；
ａ３：次式
【化６】
2019123773.tif 000006
のいずれかで表される残基；
ａ４：次式
【化７】
2019123773.tif 000007
で表され、ここで、Ｒ3はＣ1-3のアルキル基であり、ｒは２〜６の整数である、残基；
からなる群より選ばれる残基であり、
他方はＯＨであり、又は
（ｂ）Ｒ1及びＲ2は、一緒になって−Ｏ−を表し、環式無水物残基を形成し、又は
（ｃ）Ｒ1及びＲ2は、各ＯＨを表す。
かつ、前記ｘの付された反復単位において、
（ｉ）（ａ）で定義される残基中のａ１〜ａ４のいずれか１つの残基のみを含むか、
（ｉｉ）（ａ）で定義される残基中のａ１〜ａ４のいずれか１つの残基を含む単位と（ｂ）で定義される基若しくは（ｃ）で定義される基を含む単位のいずれか１つが相互に独立してランダムに存在し、（ａ）で定義される残基中のａ１〜ａ４のいずれか１つの残基を含む単位はｘの付された反復単位の総数の１５％〜６０％を占めるか、
（ｉｉｉ）（ａ）で定義される残基中のａ１〜ａ４のいずれか１つの残基を含む単位と（ｂ）で定義される基若しくは（ｃ）で定義される基を含む単位が共に独立してランダムに存在し、（ａ）で定義される残基中のａ１〜ａ４のいずれか１つの残基を含む単位はｘの付された反復単位の総数の１５％〜６０％を占めるか、
（ｉｖ）（ａ）で定義される残基中の、ａ４の残基を含む単位とａ１〜ａ３のいずれか１つの残基を含む単位と（ｂ）で定義される基若しくは（ｃ）で定義される基のいずれか１つを含む単位が共に独立してランダムに存在し、（ａ）で定義される残基中のａ１〜ａ３のいずれか１つの残基を含む単位はｘの付された反復単位の総数の１５％〜６０％を占めるか、
（ｖ）（ａ）で定義される残基中の、ａ４の残基を含む単位とａ１〜ａ３のいずれか１つの残基を含む単位と（ｂ）で定義される基を含む単位と（ｃ）で定義される基を含む単位が共に独立してランダムに存在し、（ａ）で定義される残基中のａ１〜ａ３のいずれか１つの残基を含む単位はｘの付された反復単位の総数の１５％〜６０％を占める。
【請求項２】
請求項１に記載された共重合体であって、前記（ａ）で定義される残基が、ａ１の残基である、共重合体。
【請求項３】
請求項１に記載された共重合体であって、前記（ａ）で定義される残基が、ａ２の残基である、共重合体。
【請求項４】
請求項１に記載された共重合体であって、前記（ａ）で定義される残基が、ａ３の残基である、共重合体。
【請求項５】
請求項１に記載された共重合体であって、前記（ａ）で定義される残基が、ａ４の残基を含む単位である、共重合体。
【請求項６】
請求項１に記載された共重合体であって、前記（ａ）で定義される残基が、ａ１の残基を含む単位とａ４の残基である、共重合体。
【請求項７】
請求項１〜６のいずれかに記載された共重合体であって、下付き記号ｙの付された反復単位において、Ｌ−ＰＥＧ−Ａ中のＡが、Ａ２の式
【化８】
2019123773.tif 000008
で表される残基である、共重合体。
【請求項８】
請求項１〜７のいずれかに記載された共重合体であって、ＴＥＭＰＯが、次式
【化９】
2019123773.tif 000009
上式中、Ｒ’はメチル基である、
で表されるいずれかの残基である、共重合体。
【請求項９】
請求項１〜８のいずれかに記載された共重合体であって、水性媒体中で動的光散乱を測定すると、平均粒径がナノサイズにあるナノ粒子として存在する、共重合体。
【請求項１０】
請求項１〜８のいずれかに記載された共重合体と塩化ベンザルコニウムを含んでなる複合体。
【請求項１１】
請求項１〜８のいずれかに記載された共重合体と抗癌剤含んでなる医療用組成物。
【請求項１２】
抗癌剤がパクリタキセル又はソラフェニブである請求項１１に記載の医療用組成物。
【請求項１３】
次式（ＩＩ）で表される共重合体。
【化１０】
2019123773.tif 000010
式中、
Ｒ1-1又はＲ2-1のいずれか一方は、
ａ１  ：次式
【化１１】
2019123773.tif 000011
で表され、ここで、
ＴＥＭＰＯは、２，２，６，６−テトラメチルピペリジン−１−オキシル−４−イル、２，２，５，５−テトラメチルピロリジン−１−オキシル−３−イル、２，２，５，５−テトラメチルピロリン−１−オキシル−３−イル、２，４，４−トリメチル−１，３−オキサゾリジン−３−オキシル−２−イル、２，４，４−トリメチル−１，３−チアゾリジン−３−オキシル−２−イル及び２，４，４−トリメチル−イミダゾリンジン−３−オキシル−２−イルからなる群より選ばれる環状ニトロキシドラジカル化合物の残基；
ａ２：次式
【化１２】
2019123773.tif 000012
のいずれかで表される残基；
ａ３：次式
【化１３】
2019123773.tif 000013
のいずれかで表される残基；
ａ４：次式
【化１４】
2019123773.tif 000014
で表され、ここで、Ｒ3はＣ1-3のアルキル基であり、ｒは２〜６の整数である、残基；
からなる群より選ばれる１以上の残基であり、
他方はＯＨであり、式（ＩＩ）における環式無水物残基部分はｍ１の１０％まで加水分解され開環していてもよく、
そして
ｍ１＋ｍ２は、５〜１４００の整数であり、ｎは５〜１４００の整数であり、ｍ１＋ｍ２：ｎは１：１〜５の比率にある。
【請求項１４】
下付き記号ｍ２の付された反復単位において，Ｒ1-1又はＲ2-1のいずれか一方が、
ａ１  ：次式
【化１５】
2019123773.tif 000015
で表される請求項１３に記載の共重合体。